(57)【要約】【課題】表示部において光量のむらが生じるのを抑制することが可能な表示装置を提供する。【解決手段】この液晶テレビジョン装置（表示装置）１００は、表示部１と、表示部１の背面側に配置され、表示部１に光を照射する複数の光源７と、表示部１と光源７との間に配置される拡散板１１と、光源７からの光を透過可能に構成されているとともに、拡散板１１を背面側から支持するパネルポスト１３とを備え、パネルポスト１３は、一方表面部１３ｃおよび他方表面部１３ｄを有し、かつ、一方表面部１３ｃが光源７に対向するように配置している。【選択図】図３
2015038828.tif 000002
【特許請求の範囲】
【請求項１】
表示部と、
前記表示部の背面側に配置され、前記表示部に光を照射する複数の光源と、
前記表示部と前記光源との間に配置される平板状の光学部材と、
前記光源からの光を透過可能に構成されているとともに、前記光学部材を背面側から支持する平板状の光学部材支持部材とを備え、
前記平板状の光学部材支持部材は、幅広の一方表面および幅広の他方表面を有し、かつ、前記幅広の一方表面が前記光源に対向するように配置されている、表示装置。
【請求項２】
前記平板状の光学部材支持部材は、前記光学部材と接触する接触部と、前記接触部から外側に延びる上辺と、前記上辺から前記光学部材とは反対側に延びる側辺とを有し、
前記平板状の光学部材支持部材の前記接触部を通るように前記光学部材に対して垂直方向に延ばした直線に対する前記上辺の傾斜角が、１５度以上９０度未満になるように構成されている、請求項１に記載の表示装置。
【請求項３】
前記平板状の光学部材支持部材は、２つの前記上辺を有し、前記直線に対する、前記２つの上辺の傾斜角が、共に、１５度以上９０度未満である、請求項２に記載の表示装置。
【請求項４】
前記平板状の光学部材支持部材の厚みは、前記平板状の光学部材支持部材の前記幅広の一方表面における前記光学部材の表面と平行な方向の幅の約１／５以下である、請求項１〜３いずれか１項に記載の表示装置。
【請求項５】
前記平板状の光学部材支持部材の前記光学部材と接触する前記接触部は略半球形状に形成されている、請求項１〜４いずれか１項に記載の表示装置。
【請求項６】
前記平板状の光学部材支持部材の前記上辺は、前記光学部材とは反対側に向かって凹んだ凹形状を有するように構成されている、請求項１〜５いずれか１項に記載の表示装置。
【請求項７】
前記平板状の光学部材支持部材のうちの前記光学部材に影が当たらない領域には、開口部が形成されている、請求項１〜６いずれか１項に記載の表示装置。
【発明の詳細な説明】
【技術分野】
【０００１】
この発明は、表示装置に関し、特に、光学部材を支持する光学部材支持部材を備えた表示装置に関する。
【背景技術】
【０００２】
従来、光学部材を支持する光学部材支持部材を備えた表示装置が知られている（たとえば、特許文献１参照）。
【０００３】
上記特許文献１には、ＬＥＤからの光を透過させる光学部材と、バックライトシャーシの底面に取り付けられ、光学部材を支持する支持ピン（光学部材支持部材）とを備えた液晶表示装置（表示装置）が開示されている。この液晶表示装置では、支持ピンは、透明系の樹脂で形成され、円形状または四角形状の底面を有する柱状を有する。
【先行技術文献】
【特許文献】
【０００４】
【特許文献１】ＷＯ２０１１／０１０４８７号公報
【発明の概要】
【発明が解決しようとする課題】
【０００５】
しかしながら、上記特許文献１に開示された液晶表示装置では、光学部材を支持する支持ピンは透明系の樹脂で形成され、円形状または四角形状の底面を有する柱状を有するため、ＬＥＤから支持ピン内に進入した光が、柱状の支持ピンのうち比較的幅（表面積）の大きい側面の内側で反射または屈折される。このため、光学部材を透過する光量にむらが生じやすい（影が形成されやすいという不具合がある）。その結果、光学部材を透過した光により映像等が表示される表示部において光量のむらが生じるという問題点がある。
【０００６】
この発明は、上記のような課題を解決するためになされたものであり、この発明の１つの目的は、表示部において光量のむらが生じるのを抑制することが可能な表示装置を提供することである。
【課題を解決するための手段】
【０００７】
上記目的を達成するために、この発明の一の局面による表示装置は、表示部と、表示部の背面側に配置され、表示部に光を照射する複数の光源と、表示部と光源との間に配置される平板状の光学部材と、光源からの光を透過可能に構成されているとともに、光学部材を背面側から支持する平板状の光学部材支持部材とを備え、平板状の光学部材支持部材は、幅広の一方表面および幅広の他方表面を有し、かつ、幅広の一方表面が光源に対向するように配置されている。
【０００８】
この発明の一の局面による表示装置では、上記のように、幅広の一方表面および幅広の他方表面を有する平板状の光学部材支持部材を、幅広の一方表面が光源に対向するように配置することによって、光学部材支持部材が円形状または四角形形状の底辺を有する柱状を有する場合と異なり、厚みの小さい板状の光学部材支持部材のうち幅広の一方表面および他方表面に対して垂直な幅狭の側面の内側で反射または屈折される光の量は少なくなるので、光学部材を透過する光量にむらが生じにくい（影が形成されにくい）。その結果、光学部材を透過した光によって表示される表示部における光量のむらが生じるのを抑制することができる。
【０００９】
上記一の局面による表示装置において、好ましくは、平板状の光学部材支持部材は、光学部材と接触する接触部と、接触部から外側に延びる上辺と、上辺から光学部材とは反対側に延びる側辺とを有し、平板状の光学部材支持部材の接触部を通るように光学部材に対して垂直方向に延ばした直線に対する上辺の傾斜角が、１５度以上９０度未満になるように構成されている。このように構成すれば、上辺から光学部材とは反対側に延びる２つの側辺の間の間隔が大きくなる（すなわち、幅広の一方表面および幅広の他方表面の幅がより広くなる）ので、平板状の光学部材支持部材の側面の内側で光が反射または屈折することに起因して生じた影同士が接近しない。その結果、光学部材を透過した光によって表示される表示部で光量のむらが生じるのをより抑制することができる。
【００１０】
この場合、好ましくは、平板状の光学部材支持部材は、２つの上辺を有し、直線に対する、２つの上辺の傾斜角が、共に、１５度以上９０度未満である。このように構成すれば、２つの上辺から光学部材とは反対側に延びる２つの側辺の間の間隔が確実に大きくなる。すなわち、幅広の一方表面および幅広の他方表面の幅が確実に広くなるので、平板状の光学部材支持部材の側面の内側で光が反射または屈折することに起因して生じた影同士が接近しない。その結果、光学部材を透過した光によって表示される表示部で光量のむらが生じるのをさらに抑制することができる。
【００１１】
上記一の局面による表示装置において、好ましくは、平板状の光学部材支持部材の厚みは、平板状の光学部材支持部材の幅広の一方表面における光学部材の表面と平行な方向の幅の１／５以下である。このように構成すれば、平板状の光学部材支持部材の厚みを小さくすることができる分、平板状の光学部材支持部材の厚みと同じ狭い幅を有する側面の内側で反射または屈折する光量を小さくすることができるので、光学部材を透過した光によって表示される表示部における光量のむらが生じるのを効果的に抑制することができる。
【００１２】
上記一の局面による表示装置において、好ましくは、平板状の光学部材支持部材の光学部材と接触する接触部は略半球形状に形成されている、このように構成すれば、平板状の光学部材支持部材と、光学部材とが点接触するので、平板状の光学部材支持部材と光学部材とが面または線接触する場合と異なり、接触部で反射することに起因して生じる、光学部材上の影の面積を小さくすることができる。その結果、光学部材を透過した光によって表示される表示部において光量のむらが生じるのをさらに抑制することができる。
【００１３】
上記一の局面による表示装置において、好ましくは、平板状の光学部材支持部材の上辺は、光学部材とは反対側に向かって凹んだ凹形状を有するように構成されている。このように構成すれば、平板状の光学部材支持部材の上辺が、直線形状、または、光学部材側に向かって凸形状を有するように構成されている場合と異なり、上辺と光学部材との間の距離が大きくなるので、その分、光源から出射された光が光学部材支持部材の上辺の内側によって反射または屈折することに起因して生じる影を拡散して目立たなくすることができる。
【００１４】
上記一の局面による表示装置において、好ましくは、平板状の光学部材支持部材のうちの光学部材に影が当たらない領域には、開口部が形成されている。このように構成すれば、平板状の光学部材支持部材のうちの光学部材に影が当たらない領域に開口部が設けられない場合と異なり、光学部材支持部材の材料を取り除いた分、少ない材料で光学部材支持部材を形成することができる。なお、平板状の光学部材支持部材のうちの光学部材に影が当たらない領域に開口部を設けているので、開口部によって影が生じても、光学部材および表示部への光量のむらは生じない。したがって、光量のむらを抑制しながら、光学部材支持部材の材料の量を削減することができる。
【発明の効果】
【００１５】
本発明によれば、上記のように、表示部において光量のむらが生じるのを抑制することが可能な表示装置を提供することができる。
【図面の簡単な説明】
【００１６】
【図１】本発明の第１実施形態による液晶テレビジョン装置の全体構成を示した斜視図である。
【図２】図１に示した液晶テレビジョン装置の背面図である。
【図３】図２の２００−２００線に沿った模式的な断面図である。
【図４】本発明の第１実施形態による液晶テレビジョン装置の分解斜視図である。
【図５】本発明の第１実施形態によるパネルポストの正面図である。
【図６】本発明の第１実施形態によるパネルポストの斜視図である。
【図７】本発明の第１実施形態による反射シートの平面図である。
【図８】本発明の第２実施形態によるパネルポストの正面図である。
【図９】本発明の第２実施形態によるパネルポストの斜視図である。
【図１０】本発明の第３実施形態によるパネルポストの正面図である。
【図１１】本発明の第３実施形態によるパネルポストの斜視図である。
【図１２】本発明の第１〜第３実施形態の第１変形例によるパネルポストの正面図である。
【図１３】本発明の第１〜第３実施形態の第２変形例によるパネルポストの正面図である。
【図１４】本発明の第１〜第３実施形態の第３変形例によるパネルポストの正面図である。
【図１５】本発明の第１〜第３実施形態の第４変形例によるパネルポストの正面図である。
【発明を実施するための形態】
【００１７】
以下、本発明の実施形態を図面に基づいて説明する。
【００１８】
まず、図１〜図７を参照して、本発明の第１実施形態による液晶テレビジョン装置１００の構成について説明する。なお、液晶テレビジョン装置１００は、本発明の「表示装置」の一例である。
【００１９】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。前部筐体２は、正面から見て（矢印Ｙ１方向側から見て）矩形状の外形を有する枠状に形成されている。具体的には、前部筐体２の中央部近傍には、表示部１を正面側に露出させるための矩形状の開口部２ａが設けられている。また、図３に示すように、前部筐体２は、前方（矢印Ｙ１方向）に窪む凹形状に形成されている。
【００２０】
また、図２および図３に示すように、液晶テレビジョン装置１００は、前部筐体２と背面側（矢印Ｙ２方向側）から組み合わされる板金製のリアフレーム４を備える。このリアフレーム４は、前部筐体２の背面側に嵌り込む矩形状の縁部４ａを有する。また、リアフレーム４は、後方（矢印Ｙ２方向）に窪む凹形状に形成されている。なお、リアフレーム４は、ネジ部材（図示せず）によって前部筐体２に固定されている。また、リアフレーム４の背面側には、リアフレーム４よりも小さい矩形状を有する樹脂製のカバー部材５が配置されている。カバー部材５は、リアフレーム４の背面に配置される電源基板や信号処理基板などの種々の基板（図示せず）を覆うように設けられている。また、カバー部材５は、ネジ部材（図示せず）によってリアフレーム４に固定されている。これらのリアフレーム４およびカバー部材５によって、前部筐体２に対応する後部筐体が構成されている。
【００２１】
図３に示すように、リアフレーム４の表面（矢印Ｙ１方向側の面）には、板金製のヒートシンク６が配置されている。また、ヒートシンク６の表面には、表示部１に背面側（矢印Ｙ２方向側）から光を照射する光源７が実装された基板８が配置されている。なお、光源７は、白色ＬＥＤ（Ｌｉｇｈｔ  Ｅｍｉｔｔｉｎｇ  Ｄｉｏｄｅ）などにより構成されている。また、図４に示すように、光源７は、基板８の表面に、基板８の延びる方向（Ｘ方向）に沿って間隔を隔てて複数実装されている。
【００２２】
また、図３および図４に示すように、基板８の複数の光源７が実装された表面（矢印Ｙ１方向側の面）には、複数の光源７をそれぞれ覆う複数の拡散レンズ９が取り付けられている。この拡散レンズ９は、アクリルなどの樹脂により構成されており、光源７からの出射光を表示部１側に拡散する機能（図３の矢印付きの点線参照）を有する。なお、図３に示すように、拡散レンズ９の底面の中央部近傍（基板８の表面の光源７に対応する位置）には、凹部９ａが設けられている。また、拡散レンズ９には、拡散レンズ９の底面から基板８側に延びる柱状のボス９ｂが設けられており、このボス９ｂが基板８の表面に接着されることにより、基板８の表面の光源７に対応する位置に拡散レンズ９が取り付けられる。
【００２３】
また、図３および図４に示すように、リアフレーム４の表面（矢印Ｙ１方向側の面）には、複数のパネルポスト固定用開口４ｂおよび４ｃが設けられている。パネルポスト１３の固定部１３ａがパネルポスト固定用開口４ｂに嵌められるとともに、パネルポスト１３の固定部１３ｂがパネルポスト固定用開口４ｃに嵌められることによって、パネルポスト１３が固定される。固定部１３ａには、一対の引っ掛かり部が設けられており、パネルポスト固定用開口４ｂに一旦嵌められると抜けにくくなるように形成されている。また、固定部１３ｂは、パネルポスト固定用開口４ｃに嵌められることによって、パネルポスト１３が回転するのを防止している。ここで、第１実施形態では、パネルポスト１３は、一方表面部１３ｃおよび他方表面部１３ｄを含み、一方表面部１３ｃが光源７に対向するように配置されている。なお、パネルポスト１３は、本発明の「光学部材支持部材」の一例であり、一方表面部１３ｃは、本発明の「一方表面」の一例であり、他方平面部１３ｄは、本発明の「他方表面」の一例である。
【００２４】
図５および図６に示すように、第１実施形態では、パネルポスト１３は、光を透過可能な材料であるＰＣ（ポリカーボネート）により構成されており、拡散板１１と接触する部分である接触部１３ｅと、接触部１３ｅから外側に延びる２つの上辺１３ｆおよび１３ｇと、上辺１３ｆおよび１３ｇから拡散板１１と反対方向へ延びる２つの側辺１３ｈおよび１３ｉとを有する。接触部１３ｅは、略半球形状に形成されており、拡散板１１と点接触する。また、接触部１３ｅを通るように、拡散板１１に対して垂直方向に延ばした直線Ｂ１に対する２つの上辺１３ｆおよび１３ｇのそれぞれの傾斜角θ１およびθ２が、共に約３０度となるように形成されている。また、パネルポスト１３の厚みｔは、パネルポスト１３における拡散板１１の表面と平行な方向の幅Ｗの約１／６である。
【００２５】
また、図３、図４および図７に示すように、基板８と拡散レンズ９との間には、光源７からの光を表示部１側に反射する樹脂製の反射シート１０が配置されている。この反射シート１０は、基板８の表面上に配置された状態で、リアフレーム４に沿った形状（矢印Ｙ２方向側に窪む凹形状）を有する。具体的には、反射シート１０は、左右方向（Ｘ方向）に延びる長方形形状を有する反射シート底面部１０ａと、反射シート底面部１０ａの４辺を取り囲むように配置される４つの反射シート斜面部１０ｂとを含む。なお、図４に示すように、反射シート底面部１０ａは、後述する拡散板１１に対して平行に延びるように形成されている。また、反射シート斜面部１０ｂは、反射シート底面部１０ａの端部からリアフレーム４の縁部４ａに向かって傾斜して延びるように形成されている。
【００２６】
また、図７に示すように、反射シート底面部１０ａには、複数の光源７（拡散レンズ９）にそれぞれ対応する複数の光源用開口部１０ｃが、左右方向（Ｘ方向）に間隔を隔てて一直線上に設けられている。そして、反射シート斜面部１０ｂには、リアフレーム４に固定されているパネルポスト１３が反射シート１０を貫通して後述する拡散板１１を支持することができるように、パネルポスト用開口部１０ｄが設けられている。なお、パネルポスト用開口部１０ｄは、光源７に対向する（図７の矢印Ａ参照）位置に配置されたパネルポスト１３を光が透過することが可能になるような位置に設けられている。
【００２７】
ここで、第１実施形態では、図３および図４に示すように、反射シート１０と表示部１との間には、拡散レンズ９により拡散された光を表示部１側にさらに拡散する樹脂製の拡散板１１が配置されており、拡散板１１は、パネルポスト１３の接触部１３ｅによって背面側から支持されている。また、拡散板１１は、Ｚ方向およびＸ方向に延びる平板状に形成している。拡散板１１と表示部１との間には、拡散板１１からの光の偏光方向を揃えて表示部１へ光を出射する光学シート１２が配置されており、光学シート１２は、Ｚ方向およびＸ方向に延び、拡散板１１と同様の平板状に形成している。なお、拡散板１１および光学シート１２は、本発明の「光学部材」の一例である。
【００２８】
また、表示部１では、光学シート１２から出射された偏光方向を揃えられた光に対して、表示部１に含まれる液晶の透過率を変化させることによって、画像の表示が行われる。
【００２９】
第１実施形態では、上記のように、表示部１と、表示部１の背面側に配置し、表示部１に光を照射する複数の光源７と、表示部１と光源７との間に配置する拡散板１１および光学シート１２と、光源７からの光を透過可能に構成するとともに、拡散板１１および光学シート１２を背面側から支持するパネルポスト１３とを備え、パネルポスト１３は、一方表面部１３ｃおよび他方表面部１３ｄを有し、かつ、一方表面部１３ｃが光源７に対向するように配置している。これにより、厚みｔの小さい板状のパネルポスト１３のうち一方表面部１３ｃおよび他方表面部１３ｄに対して垂直な幅狭の側面１３ｊおよび１３ｋの内側で反射または屈折される光の量は少なくなるので、拡散板１１および光学シート１２を透過した光によって表示する表示部１における光量のむらが生じるのを抑制することができる。
【００３０】
また、第１実施形態では、上記のように、パネルポスト１３は、拡散板１１と接触する接触部１３ｅと、接触部１３ｅから外側に延びる上辺１３ｆおよび１３ｇと、上辺１３ｆおよび１３ｇから拡散板１１とは反対側に延びる側辺１３ｈおよび１３ｉとを有し、パネルポスト１３の接触部１３ｅを通るように拡散板１１に対して垂直方向に延ばした直線Ｂ１に対する上辺１３ｆの傾斜角θ１が、１５度以上９０度未満になるように構成している。これにより、上辺１３ｆおよび１３ｇから拡散板１１とは反対側に延びる２つの側辺１３ｈおよび１３ｉの間の間隔が大きくなる。すなわち、一方表面部１３ｃおよび他方表面部１３ｄの幅Ｗがより広くなるので、パネルポスト１３の側面１３ｊおよび１３ｋの内側で光が反射または屈折することに起因して生じた影同士が接近しない。その結果、拡散板１１および光学シート１２を透過した光によって表示する表示部１で光量のむらが生じるのをより抑制することができる。
【００３１】
また、第１実施形態では、上記のように、パネルポスト１３は、２つの上辺１３ｆおよび１３ｇを有し、直線Ｂ１に対する、２つの上辺１３ｆおよび１３ｇの傾斜角θ１およびθ２が、共に、１５度以上９０度未満である。これにより、２つの上辺１３ｆおよび１３ｇから拡散板１１とは反対側に延びる２つの側辺１３ｈおよび１３ｉの間の間隔がさらに大きくなる。すなわち、一方表面部１３ｃおよび他方表面部１３ｄの幅がさらに広くなるので、パネルポスト１３の側面の内側で光が反射または屈折することに起因して生じた影同士が接近しない。その結果、拡散板１１および光学シート１２を透過した光によって表示される表示部１で光量のむらが生じるのをさらに抑制することができる。
【００３２】
また、第１実施形態では、上記のように、パネルポスト１３の厚みｔは、パネルポスト１３の一方表面部１３ｃにおける拡散板１１の表面と平行な方向の幅Ｗの約１／６である。これにより、パネルポスト１３の厚みｔを小さくすることができる分、パネルポスト１３の厚みｔと同じ狭い幅を有する側面１３ｊおよび１３ｋの内側で反射または屈折する光量は小さくなるので、拡散板１１および光学シート１２を透過した光によって表示される表示部１における光量のむらが生じるのを効果的に抑制することができる。
【００３３】
（第２実施形態）
次に、図８および図９を参照して、第２実施形態によるパネルポスト１３１の構成について説明する。第２実施形態では、２つの上辺１３ｆおよび１３ｇは、直線形状を有するように構成されていた、第１実施形態のパネルポスト１３と異なり、拡散板１１に対して反対方向側に向かって凹んだ凹形状を有するように上辺が構成されている。
【００３４】
図８に示すように、第２実施形態では、パネルポスト１３１は、拡散板１１と接触する部分を有する接触部１３１ｇと、接触部１３１ｇから外側に延びる上辺１３１ｅおよび１３１ｆとを有する。上辺１３１ｅは、接触部１３１ｇとなだらかな曲面で接続され、接触部１３１ｇを通るように拡散板１１に対して垂直方向に延ばした直線Ｂ２に対して傾斜角の小さい上辺上部１３１ａと、上辺上部１３１ａとなだらかな曲面で接続され直線Ｂ２に対して傾斜角の大きい上辺下部１３１ｂとを有する。上辺１３１ｆは、接触部１３１ｇとなだらかな曲面で接続され、直線Ｂ２に対して傾斜角の小さい上辺上部１３１ｃと、上辺上部１３１ｃとなだらかな曲面で接続され直線Ｂ２に対して傾斜角の大きい上辺下部１３１ｄとを有する。直線Ｂ２に対する上辺１３１ｅの平均的な傾き（図８点線Ｃ１参照）および上辺１３１ｆの平均的な傾き（図８点線Ｃ２参照）の傾斜角θ３およびθ４は，共に約３０度となるように形成されている。また、第２実施形態によるパネルポスト１３１のその他の構成は、上記第１実施形態と同様である。
【００３５】
第２実施形態では、上記のように、パネルポスト１３１の上辺１３１ｅおよび１３１ｆは、拡散板１１とは反対側に向かって凹んだ凹形状を有するように構成している。これにより、上辺１３１ｅおよび１３１ｆと拡散板１１との間の距離が大きくなるので、その分、光源７から出射された光がパネルポスト１３１の上辺１３１ｅおよび１３１ｆの内側によって反射または屈折することに起因して生じる影を拡散して目立たなくすることができる。なお、パネルポスト１３１の上辺１３１ｅおよび１３１ｆは、拡散板１１に対して反対方向側に向かって凹んだ凹形状を有するように形成されるので、その分、パネルポスト１３１の材料を少なくすることができる。また、第２実施形態によるパネルポスト１３１のその他の効果は、上記第１実施形態と同様である。
【００３６】
（第３実施形態）
次に、図１０および図１１を参照して、第３実施形態によるパネルポスト１３２の構成について説明する。第３実施形態では、パネルポスト１３のうちの影が当たらない領域に開口が設けられていない、第１実施形態のパネルポスト１３および第２実施形態のパネルポスト１３１と異なり、パネルポスト１３２のうちの拡散板１１に影が当たらない領域（図１０点線Ｄ以下の領域）には、開口部１３２ａが形成されている。
【００３７】
図１０および図１１に示すように、第３実施形態では、パネルポスト１３２のうちの拡散板１１に影が当たらない領域（図１０点線Ｄ以下の領域）には、開口部１３２ａが形成されている。開口部１３２ａは、略四角形形状を有し、固定部１３ａの上方から点線Ｄまでの部分で、幅はＷより小さい広さで形成され、一方表面部１３２ｂから他方表面部１３２ｃを貫くように開口されている。また、第３実施形態によるパネルポスト１３２のその他の構成は、上記第１実施形態と同様である。
【００３８】
第３実施形態では、上記のように、パネルポスト１３２のうちの拡散板１１に影が当たらない領域には、開口部１３２ａを形成している。これにより、パネルポスト１３２の材料を取り除いた分、少ない材料でパネルポスト１３２を形成することができる。なお、パネルポスト１３２のうちの拡散板１１に影が当たらない領域に開口部１３２ａを設けているので、開口部１３２ａによって影が生じても、拡散板１１および表示部１への光量のむらは生じない。したがって、光量のむらを抑制しながら、パネルポスト１３２の材料の量を削減することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記第１〜第３実施形態では、本発明の表示装置の一例としてテレビジョン装置を用いる例を示したが、本発明はこれに限らない。本発明は、テレビジョン装置以外の表示装置に用いてもよい。たとえば、ＰＣ（Ｐｅｒｓｏｎａｌ  Ｃｏｍｐｕｔｅｒ）用のディスプレイ装置などの一般的な表示装置に用いてもよい。
【００４１】
また、上記第１〜第３実施形態では、本発明の板状の光学部材の一例として、樹脂製の拡散板を用いる例を示したが、本発明はこれに限らない。本発明では、樹脂製の拡散板以外の板状の光学部材を用いてもよい。
【００４２】
また、上記第１〜第３実施形態では、複数の光源が一直線上に実装された基板を１つ（１列）だけ設ける例を示したが、本発明はこれに限らない。本発明では、複数の光源が一直線上に実装された基板を２つ（２列）以上設けてもよい。
【００４３】
また、上記第１〜第３実施形態では、６つのパネルポストを配置する例を示したが、本発明はこれに限らない。本発明では、７つ以上または６つ未満のパネルポストによってテレビジョン装置を構成してもよい。
【００４４】
また、上記第１〜第３実施形態では、パネルポストの接触部を略半球形状に形成する例を示したが、本発明はこれに限らない。本発明では、パネルポストの接触部を略半球形状に形成しなくてもよい。たとえば、第１〜第４変形例に示すように、パネルポストの接触部を曲面形状に形成し、拡散板と線接触するように構成してもよい。
【００４５】
ここで、第１変形例では、図１２に示すように、パネルポスト１３３は、拡散板１１と接触する部分である接触部１３３ａと、接触部１３３ａから外側に延びる２つの上辺１３３ｂおよび１３３ｃと、上辺１３３ｂおよび１３３ｃから拡散板１１と反対方向へ延びる２つの側辺１３３ｉおよび１３３ｊとを有する。接触部１３３ａは、曲面形状に形成されており、拡散板１１と線接触する。また、接触部１３３ａを通るように、拡散板１１に対して垂直方向に延ばした直線Ｂ４に対する２つの上辺１３３ｂおよび１３３ｃの傾斜角θ５およびθ６が，共に約７０度となるように形成されている。また、側辺１３３ｉは、側辺上部１３３ｄと側辺下部１３３ｆとを含み、側辺上部１３３ｄは、上辺１３３ｂから拡散板１１に対して垂直方向に延びる直線形状を有し、側辺下部１３３ｆは、側辺上部１３３ｄの下端からパネルポスト１３３の中心側へ傾斜して延びる直線形状を有している。側辺１３３ｊも同様に、側辺上部１３３ｅと側辺下部１３３ｇとを含み、側辺上部１３３ｅは、上辺１３３ｃから拡散板１１に対して垂直方向に延びる直線形状を有し、側辺下部１３３ｇは、側辺上部１３３ｅの下端からパネルポスト１３３の中心側へ傾斜して延びる直線形状を有している。パネルポスト１３３の厚みは、側辺上部１３３ｄおよび１３３ｅとの間の間隔で表されるパネルポスト１３３の幅Ｗ１の約１／５以下である。また、パネルポスト１３３は、上側の辺の長さが下側の辺の長さよりも長い角の丸い台形形状の開口部１３３ｈが設けられている。
【００４６】
また、第２変形例では、図１３に示すように、パネルポスト１３４は、拡散板１１と接触する部分である接触部１３４ａと、接触部１３４ａから外側に延びる２つの上辺１３４ｂおよび１３４ｃと、上辺１３４ｂおよび１３４ｃから拡散板１１と反対方向へ延びる２つの側辺１３４ｉおよび１３４ｊとを有する。接触部１３４ａは、曲面形状に形成されており、拡散板１１と線接触する。また、接触部１３４ａを通るように、拡散板１１に対して垂直方向に延ばした直線Ｂ５に対する２つの上辺１３４ｂおよび１３４ｃの傾斜角θ７およびθ８が，共に約７０度となるように形成されている。また、側辺１３４ｉは、側辺上部１３４ｄと側辺下部１３４ｆとを含み、側辺上部１３４ｄは、上辺１３４ｂからパネルポスト１３４の中心側に傾斜するように延びる直線形状を有し、側辺下部１３４ｄは側辺上部１３４ｄの下端から拡散板１１に対して垂直方向に延びた直線形状を有している。側辺１３４ｊも同様に、側辺上部１３４ｅと側辺下部１３４ｇとを含み、側辺上部１３４ｅは、上辺１３４ｂからパネルポスト１３４の中心側に傾斜するように延びる直線形状を有し、側辺下部１３４ｇは側辺上部１３４ｅの下端から拡散板１１に対して垂直方向に延びた直線形状を有している。また、パネルポスト１３４は、上側の辺の長さが下側の辺の長さよりも長い角の丸い台形形状の開口部１３４ｈが設けられている。
【００４７】
また、第３変形例では、図１４に示すように、パネルポスト１３５は、拡散板１１と接触する部分である接触部１３５ａと、接触部１３５ａから外側に延びる２つの上辺１３５ｍおよび１３５ｎと、上辺１３５ｍおよび１３５ｎから拡散板１１と反対方向へ延びる２つの側辺１３５ｈおよび１３５ｉとを有する。接触部１３５ａは、曲面形状に形成されており、拡散板１１と線接触する。また、上辺１３５ｍは、接触部１３５ａから拡散板１１の表面に垂直方向に延びる直線形状の上辺上部１３５ｂと、上辺上部１３５ｂと曲面で接続され拡散板１１の表面と平行方向にパネルポスト１３５の外側に延びる直線形状の上辺下部１３５ｃとを有する。上辺１３５ｎは、接触部１３５ａから拡散板１１の表面に垂直方向に延びる直線形状の上辺上部１３５ｄと、上辺上部１３５ｄと曲面で接続され拡散板１１の表面と平行方向にパネルポスト１３５の外側に延びる直線形状の上辺下部１３５ｅとを有する。直線Ｂ６に対する上辺１３５ｍの平均的な傾き（図１４点線Ｃ３参照）および上辺１３５ｎの平均的な傾き（図１４点線Ｃ４参照）の傾斜角θ９およびθ１０が、共に約４５度となるように形成されている。また、側辺１３５ｆは、側辺上部１３５ｈと側辺下部１３５ｊとを含み、側辺上部１３５ｈは、上辺１３５ｍから拡散板１１に対して垂直方向に延びる直線形状を有し、側辺下部１３５ｊは、側辺上部１３５ｈの下端からパネルポスト１３３の中心側へ傾斜して延びる直線形状を有している。側辺１３５ｇも同様に、側辺上部１３５ｉと側辺下部１３５ｋとを含み、側辺上部１３５ｉは、上辺１３５ｎから拡散板１１に対して垂直方向に延びる直線形状を有し、側辺下部１３５ｋは、側辺上部１３５ｉの下端からパネルポスト１３３の中心側へ傾斜して延びる直線形状を有している。パネルポスト１３５の厚みは、側辺上部１３５ｉおよび１３５ｈとの間の間隔で表されるパネルポスト１３５の幅Ｗ２の約１／５以下である。また、パネルポスト１３５は、上側の辺の長さが下側の辺の長さよりも長い角の丸い台形形状の開口部１３５ｌが設けられている。
【００４８】
また、第４変形例では、図１５に示すように、パネルポスト１３６は、拡散板１１と接触する部分である接触部１３６ａと、接触部１３６ａから外側に延びる２つの上辺１３６ｍおよび１３６ｎと、上辺１３６ｍおよび１３６ｎから拡散板１１と反対方向へ延びる２つの側辺１３６ｆおよび１３６ｇとを有する。接触部１３６ａは、曲面形状に形成されており、拡散板１１と線接触する。また、上辺１３６ｍは、接触部１３６ａから拡散板１１の表面に垂直方向に延びる直線形状の上辺上部１３６ｂと、上辺上部１３６ｂからパネルポスト１３６の外側に延びる直線形状の上辺下部１３６ｃとを有する。上辺１３６ｎは、接触部１３６ａから拡散板１１の表面に垂直方向に延びる直線形状の上辺上部１３６ｄと、上辺上部１３６ｄからパネルポスト１３６の外側に延びる直線形状の上辺下部１３６ｅとを有する。直線Ｂ７に対する上辺１３６ｍの平均的な傾き（図１５点線Ｃ５参照）および上辺１３６ｎの平均的な傾き（図１５点線Ｃ６参照）の傾斜角θ１１およびθ１２が，共に約４０度となるように形成されている。また、側辺１３６ｆは、側辺上部１３６ｈと側辺下部１３６ｊとを含み、側辺上部１３６ｈは、上辺１３６ｍから拡散板１１に対して垂直方向に延びる直線形状を有し、側辺下部１３６ｊは、側辺上部１３６ｈの下端からパネルポスト１３６の中心側へ傾斜して延びる直線形状を有している。側辺１３６ｇも同様に、側辺上部１３６ｉと側辺下部１３６ｋとを含み、側辺上部１３６ｉは、上辺１３６ｎから拡散板１１に対して垂直方向に延びる直線形状を有し、側辺下部１３６ｋは、側辺上部１３６ｉの下端からパネルポスト１３６の中心側へ傾斜して延びる直線形状を有している。パネルポスト１３６の厚みは、側辺上部１３６ｉおよび１３６ｈとの間の間隔で表されるパネルポスト１３６の幅Ｗ３の約１／５以下である。また、パネルポスト１３６は、上側の辺の長さが下側の辺の長さよりも長い角の丸い台形形状の開口部１３６ｌが設けられている。
【００４９】
また、上記第１〜第３実施形態では、パネルポストの接触部から外側に延びる上辺を２つ設ける例を示したが、本発明はこれに限らない。本発明では、上辺を１つで構成し、上辺の両端から拡散板の反対方向側に延びる２つの側辺を有することによって、平板状のパネルポストを形成してもよい。
【００５０】
また、上記第１〜第３実施形態では、パネルポストの側辺を拡散板の表面と平行な面と垂直な方向に延びるように形成する例を示したが、本発明はこれに限らない。本発明では、第２変形例のパネルポストの側辺のように、拡散板の表面と平行な面と垂直ではない方向に延びるように形成してもよいし、第１〜第４変形例のパネルポストの側辺のように、直線でなくてもよい。
【００５１】
また、上記第１〜第３実施形態では、パネルポストの接触部を通るように、拡散板に対して垂直方向に延ばした直線に対する２つの上辺の傾斜角が，共に約３０度となるように形成する例を示したが、本発明はこれに限らない。本発明では、２つの傾斜角が異なっていてもよいし、３０度以外の傾斜角を形成してもよい。たとえば、第１変形例および第２変形例では、傾斜角が約７０度、第３変形例では、傾斜角が約４５度、第４変形例では、傾斜角が約４０度となるように形成している。
【００５２】
また、上記第１〜第３実施形態では、パネルポストの厚みは、パネルポストの一方表面部における拡散板の表面と平行な方向の幅の約１／６となるように形成する例を示したが、本発明はこれに限らない。本発明では、パネルポストの厚みは、パネルポストの一方表面部における拡散板の表面と平行な方向の幅の約１／６以外の大きさで形成してもよい。なお、パネルポストの厚みは、パネルポストの一方表面部における拡散板の表面と平行な方向の幅の約１／５以下が望ましい。
【００５３】
また、上記第２実施形態では、パネルポストの２つの上辺が、拡散板とは反対側に向かって凹んだ凹形状を有するように構成する例を示したが、本発明はこれに限らない。本発明では、たとえば、パネルポストの２つの上辺のうち、１つの上辺のみが拡散板とは反対側に向かって凹んだ凹形状を有するように構成してもよい。
【００５４】
また、上記第３実施形態では、パネルポストのうちの拡散板に影が当たらない領域に四角形形状の開口部を形成する例を示したが、本発明はこれに限らない。本発明では、四角形形状以外の開口部を形成してもよい。たとえば、第１〜第４変形例では、角の丸い台形形状で形成している。
【符号の説明】
【００５５】
１  表示部
７  光源
１１  拡散板（光学部材）
１２  光学シート（光学部材）
１３、１３１、１３２、１３３，１３４，１３５，１３６  パネルポスト（光学部材支持部材）
１３ｃ、１３２ｂ  一方表面部（幅広の一方表面）
１３ｄ、１３２ｃ  他方表面部（幅広の他方表面）
１３ｅ、１３１ｇ、１３３ａ、１３４ａ、１３５ａ、１３６ａ  接触部
１３ｆ、１３ｇ、１３１ｅ、１３１ｆ、１３３ｂ、１３３ｃ、１３４ｂ、１３４ｃ、１３５ｍ、１３５ｎ、１３６ｍ、１３６ｎ  上辺
１３ｈ、１３ｉ、１３３ｉ、１３３ｊ、１３４ｉ、１３４ｊ、１３５ｆ、１３５ｇ、１３６ｆ、１３６ｇ  側辺
１３２ａ、１３３ｈ、１３４ｈ、１３５ｌ、１３６ｌ  開口部
１００  液晶テレビジョン装置（表示装置）
Ｂ１〜Ｂ７  直線
ｔ  厚み
Ｗ、Ｗ１、Ｗ２、Ｗ３  幅
θ１〜θ１２  傾斜角
【図１】
2015038828.tif 000003
【図２】
2015038828.tif 000004
【図３】
2015038828.tif 000005
【図４】
2015038828.tif 000006
【図５】
2015038828.tif 000007
【図６】
2015038828.tif 000008
【図７】
2015038828.tif 000009
【図８】
2015038828.tif 000010
【図９】
2015038828.tif 000011
【図１０】
2015038828.tif 000012
【図１１】
2015038828.tif 000013
【図１２】
2015038828.tif 000014
【図１３】
2015038828.tif 000015
【図１４】
2015038828.tif 000016
【図１５】
2015038828.tif 000017